(57)【要約】【課題】確保できる収納のための室内平面スペースが限られていても、容量の大きい収納部を、床下収納等との兼ね合いもうまく加味してうまい具合に形成でき、階上等における利便性も向上できる住宅収納システムを提供する。【解決手段】床２から天井３にわたる範囲を延びる収納本体部４と、収納本体部４の下に連設されて床下５に突出する床下収納部６と、収納本体部４の上に連設されて階間ふところ部７に突出するベンチ等の台部８とを具備する収納体１が上下方向に変位動可能に設置され、該収納体１が上方に変位動作をすることにより、床下収納部６が床下５から床上に移動し、床下収納部６に対して物の出し入れを行うことができるようになされていると共に、台部８が階間ふところ部７から階上に移動し、階上にベンチ８等が形成されるようになされている。【選択図】      図１
2006257686.tif 000002
【特許請求の範囲】
【請求項１】
床から天井にわたる範囲を延びる収納本体部と、該収納本体部の下に連設されて床下に突出する床下収納部と、収納本体部の上に連設されて階間ふところ部に突出する台部とを具備する収納体が上下方向に変位動可能に設置され、
該収納体が上方に変位動作をすることにより、床下収納部が床下から床上に移動し、床下収納部に対して物の出し入れを行うことができるようになされていると共に、台部が階間ふところ部から階上に移動し、階上に台が形成されるようになされていることを特徴とする住宅収納システム。
【請求項２】
前記台部が階間ふところ収納部からなり、収納体が上方に変位動作をすることにより、階間ふところ収納部が階間ふところ部から階上に移動し、階上で階間ふところ収納部に対して物の出し入れを行うことができるようになされている請求項１に記載の住宅収納システム。
【請求項３】
床から天井にわたる範囲を延びる収納本体部と、該収納本体部の上に連設されて小屋裏に突出する小屋裏収納部と、収納本体部の下に連設されて階間ふところ部に突出する階間ふところ収納部とを具備する収納体が上下方向に変位動可能に設置され、
前記収納体が下方に変位動作をすることにより、小屋裏収納部が小屋裏から天井下に移動し、小屋裏収納部に対してその階で物の出し入れを行うことができるようになされていると共に、階間ふところ収納部が階間ふところ部から階下に突出し、階下より階間ふところ収納部に対して物の出し入れを行うことができるようになされていることを特徴とする住宅収納システム。
【請求項４】
前記収納体が、収納本体部から側方に突出する台部を備え、収納体が下方に変位動作をすることにより、台部が床上から階間ふところ部に移動して収納されるようになされている請求項３に記載の住宅収納システム。
【発明の詳細な説明】
【技術分野】
【０００１】
本発明は、住宅収納システムに関する。
【背景技術】
【０００２】
従来より、様々な住宅収納システムが提供されているが、確保できる収納のための室内平面スペースが限られていても、容量の大きい収納部を、床下収納や小屋裏収納との兼ね合いもうまく加味してうまい具合に形成することができ、階上、階下における利便性も向上させることができるようになされた住宅収納システムは、これまでに提供された例はない。
【発明の開示】
【発明が解決しようとする課題】
【０００３】
本発明は、上記のような背景において、確保できる収納のための室内平面スペースが限られていても、容量の大きい収納部を、床下収納や小屋裏収納との兼ね合いもうまく加味してうまい具合に形成することができ、階上、階下における利便性も向上させることができる住宅収納システムを提供することを課題とする。
【課題を解決するための手段】
【０００４】
上記の課題は、床から天井にわたる範囲を延びる収納本体部と、該収納本体部の下に連設されて床下に突出する床下収納部と、収納本体部の上に連設されて階間ふところ部に突出する台部とを具備する収納体が上下方向に変位動可能に設置され、
該収納体が上方に変位動作をすることにより、床下収納部が床下から床上に移動し、床下収納部に対して物の出し入れを行うことができるようになされていると共に、台部が階間ふところ部から階上に移動し、階上に台が形成されるようになされていることを特徴とする住宅収納システムによって解決される（第１発明）。
【０００５】
この住宅収納システムでは、収納体の収納本体部が床から天井にわたる範囲を延びるようにして備えられているので、確保できる収納のための室内平面スペースが限られていても、容量の大きい収納部を形成することができる。
【０００６】
のみならず、収納体は、収納本体部の下に床下に突出する床下収納部を連設したものからなって、上下方向に変位動可能に設置され、上方に変位動作をすることにより、床下収納部が床下から床上に移動し、床下収納部に対して物の出し入れを行うことができるようになされているので、限られた室内平面スペースのなかで収納本体部と床下収納部とを平面スペースを広くすることなくうまい具合に両立させて組み込むことができ、しかも、床下収納部が床下から床上に移動できるようになされていることで、床下収納部に対する物の出し入れを楽に行うことができる。
【０００７】
更に、収納体は、収納本体部の上に台部を連設したものからなっていて、上方に変位動作をすることにより、台部が階間ふところ部から階上に移動し、階上に台が形成されるようになされているので、必要に応じて階上に台部を出現させ、それを台にして階上で便利に使用することができ、台が不要なら収納体を下方に移動して階間ふところ部に収納して階上をすっきりさせることができ、階上での利便性を向上することができる。
【０００８】
また、収納体を上方に変位動作させた状態で、収納本体部の上端部が階間ふところ部に収められ、階間ふところ部を収納本体部の上端部の収納に有効利用することができる。
【０００９】
上記の住宅収納システムにおいて、台部が階間ふところ収納部からなり、収納体が上方に変位動作をすることにより、階間ふところ収納部が階間ふところ部から階上に移動し、階上で階間ふところ収納部に対して物の出し入れを行うことができるようになされているとよい（第２発明）。
【００１０】
この場合は、階間ふところ部を台部の収納部として有効利用することができるのはもちろん、階間ふところ部を広く物の収納に有効活用することができ、収納のための平面スペースを小さくしながら容量の大きな収納スペースを確保するのに役立つ。しかも、台部に対する物の出し入れを、台部を階上に移動させた状態で行うことができるようになされているので、台部に対する物の出し入れを階上において楽に行うことができる。
【００１１】
上記の第１，２発明において、台部は、腰掛け用のベンチからなっていてもよいし、ベッド台からなっていてもよいし、掘り炬燵式のテーブル台からなっていてもよい。第２発明において、台部がベッド台からなる場合は、階間ふところ部に大きな収納スペースを形成することができる。
【００１２】
また、上記の課題は、床から天井にわたる範囲を延びる収納本体部と、該収納本体部の上に連設されて小屋裏に突出する小屋裏収納部と、収納本体部の下に連設されて階間ふところ部に突出する階間ふところ収納部とを具備する収納体が上下方向に変位動可能に設置され、
前記収納体が下方に変位動作をすることにより、小屋裏収納部が小屋裏から天井下に移動し、小屋裏収納部に対してその階で物の出し入れを行うことができるようになされていると共に、階間ふところ収納部が階間ふところ部から階下に突出し、階下より階間ふところ収納部に対して物の出し入れを行うことができるようになされていることを特徴とする住宅収納システムによって解決される（第３発明）。
【００１３】
この住宅収納システムにおいても、収納体の収納本体部が床から天井にわたる範囲を延びるようにして備えられているので、確保できる収納のための室内平面スペースが限られていても、容量の大きい収納部を形成することができる。
【００１４】
のみならず、収納体は、収納本体部の上に小屋裏に突出する小屋裏収納部を連設したものからなって、上下方向に変位動可能に設置され、下方に変位動作をすることにより、小屋裏収納部が小屋裏から天井下に移動し、小屋裏収納部に対して物の出し入れを行うことができるようになされているので、限られた室内平面スペースのなかで収納本体部と小屋裏収納部とを平面スペースを広くすることなくうまい具合に両立させて組み込むことができ、しかも、小屋裏収納部が小屋裏から天井下に移動できるようになされていることで、小屋裏収納部に対する物の出し入れを楽に行うことができる。
【００１５】
更に、収納体は、収納本体部の下に階間ふところ収納部を連設したものからなっていて、下方に変位動作をすることにより、階間ふところ収納部が階間ふところ部から階下に移動し、階下より階間ふところ収納部に対して物の出し入れを行うことができるようになされているので、階間ふところ部を収納に有効活用することができるのはもちろん、階間ふところ収納部に対する物の出し入れを階下から楽に行うことができ、また、そのようにできることで収納に関して階下の利便性を向上することができる。
【００１６】
第３発明において、収納体が、収納本体部から側方に突出する台部を備え、収納体が下方に変位動作をすることにより、台部が床上から階間ふところ部に移動して収納されるようになされているとよい（第４発明）。
【００１７】
この場合は、必要に応じて台部を床面上に出現させ、それを台として便利に使用することができ、台が不要なら収納体を下方に移動して台部を階間ふところ部に収納してすっきりさせることができ、室内の利便性も向上することができる。台部が階間ふところ収納部からなり、収納体が上方に変位動作をすることにより、階間ふところ収納部が階間ふところ部から上方に移動し、階間ふところ収納部に対して物の出し入れを行うことができるようになされている場合は、階間ふところ部を広く物の収納に有効活用することができ、収納のための平面スペースを小さくしながら容量の大きな収納スペースを確保するのに役立つ。しかも、階間ふところ収納部に対する物の出し入れを、階間ふところ収納部を階間ふところ部から上方に移動させた状態で行うことができるようになされているので、階間ふところ収納部に対する物の出し入れを楽に行うことができる。
【発明の効果】
【００１８】
本発明は、以上のとおりのものであるから、確保できる収納のための室内平面スペースが限られていても、容量の大きい収納部を、床下収納や小屋裏収納との兼ね合いもうまく加味してうまい具合に形成することができ、階上、階下における利便性も向上させることができる。
【発明を実施するための最良の形態】
【００１９】
次に、本発明の実施最良形態を図面に基づいて説明する。
【００２０】
図１及び図２に示す第１実施形態の住宅収納システムにおいて、１は収納体であり、該収納体１は、図１に示すように、階下の床２から天井３にわたる範囲を延びる収納本体部４と、収納本体部４の下に連設されて床下５に突出する床下収納部６と、収納本体部４の上に連設されて階間ふところ部７に突出する台部８とを一体的に備え、建物の外壁ラインに隣り合うようにして、上下方向に変位動可能に設置され、図２に示すように、収納体１が上方に変位動作をすることにより、床下収納部６が床下５から床上に移動し、床下収納部６に対して物の出し入れを行うことができるようになされていると共に、台部８が階間ふところ部７から階上の床上に突出し、階上に台８が形成されるようになされている。
【００２１】
本実施形態では、台部８は、図２（イ）に示すように、腰掛け可能で内部を収納部としたボックス型のベンチ台からなり、図２（ロ）に示すように、座板８ａを開くことにより物の出し入れを行うことができるようになされている。
【００２２】
上記の住宅収納システムによれば、収納体１の収納本体部４が床２から天井３にわたる範囲を延びるようにして備えられているので、確保できる収納のための室内平面スペースが限られていても、容量の大きい収納部を形成することができるのみならず、限られた室内平面スペースのなかで収納本体部４と床下収納部６とがうまい具合に両立して組み込まれ、床下収納部６が床下５から床上に移動できるようになされていることで、床下収納部６に対する物の出し入れを楽に行うことができる。しかも、必要に応じて階上に台部８を出現させ、それを台にして腰を下ろして休んだり、会話をしたり、物を置いたりすることができて、階上での生活の利便性を向上することができ、台部８を使用しないときは、収納体１を下方に移動して階間ふところ部７に収納して階上をすっきりさせることができる。図２に示すように、収納体１を上方に変位動作させた状態にすることで、収納本体部４の上端部を階間ふところ部７に収めることができて、階間ふところ部７を収納本体部４の上端部の収納に有効利用することができる。
【００２３】
また、台部８は内部を収納部としているので、階間ふところ部７を広く物の収納に有効活用することができ、しかも、内部の収納部に対する物の出し入れを、台部８を階上に移動させた状態で行うことができるので、台部８に対する物の出し入れを階上において楽に行うことができる。
【００２４】
図３に示す第２実施形態の住宅収納システムは、台部８が、ベッド台からなっている。この場合は、台部８が収納本体部４から側方に大きく張り出してしまうのが一般的であり、図３（ロ）に示すように、台部８を使用するときは、台部８が階上の空間スペースを平面方向に広く占有することになるが、使用しないときは、図３（イ）に示すように階間ふところ部７内に収納しておくことができ、台部８が室内空間を不必要に狭めてしまうことはない。なお、この場合も、台部８を、内部を収納部としたベッド台にするのが好ましく、そうすることにより、階間ふところ部を利用した大きな収納スペースを形成することができ、台部８に対する物の出し入れも階上において楽に行うことができる。その他は第１実施形態と同様である。
【００２５】
図４に示す第３実施形態の住宅収納システムは、収納体１が建物内の外壁ラインから離れた位置に設置されると共に、台部８が、掘り炬燵式のテーブル台からなり、図３（ロ）に示すように、収納体１が上方に変位動作をすることにより、台部８が階間ふところ部７から階上の床上に突出し、階上に掘り炬燵式のテーブル８が形成されるようになされている。なお、階間ふところ部７には、テーブル８を上昇させた状態で足を入れる空間部９が形成されるようになされており、該空間部９は、底面が階下に開かれていてもよいし、閉じられていてもよく、閉じられている場合は、該空間部９をテーブル不使用時に収納として利用できるようになされているとよい。台部８をこのように掘り炬燵式のテーブル台からなるものとすることで、階上での生活の利便性を向上することができる。しかも、掘り炬燵式であるから、階間ふところ部７の高さ寸法をうまく利用して、階上に、使い良い高さ寸法のテーブル台を形成することができる。その他は第１実施形態と同様である。
【００２６】
図５に示す第４実施形態の住宅収納システムは、収納体１が、図５（イ）に示すように、階上の床２から天井３にわたる範囲を延びる収納本体部４と、該収納本体部４の上に連設されて小屋裏１０に突出する小屋裏収納部１１と、収納本体部４の下に連設されて階間ふところ部７に突出する階間ふところ収納部１２とを一体的に具備し、上下方向に変位動可能に設置され、図５（ロ）に示すように、収納体１が下方に変位動作をすることにより、小屋裏収納部１１が小屋裏１０から階上の天井下に移動し、小屋裏収納部１１に対してその階で物の出し入れを行うことができるようになされていると共に、階間ふところ収納部１２が階間ふところ部７から階下に突出して吊り戸棚となり、階下より階間ふところ収納部１２に対して物の出し入れを行うことができるようになされている。
【００２７】
この住宅収納システムにおいても、収納体１の収納本体部４が床から天井にわたる範囲を延びるようにして備えられているので、確保できる収納のための室内平面スペースが限られていても、容量の大きい収納部を形成することができるのみならず、限られた室内平面スペースのなかで収納本体部４と小屋裏収納部１１とをうまい具合に両立させて組み込むことができ、小屋裏収納部１１が小屋裏１０から天井下に移動できるようになされていることで、小屋裏収納部１１に対する物の出し入れを楽に行うことができる。また、階間ふところ部７を収納に有効活用することができるのはもちろん、階間ふところ収納部１２に対する物の出し入れを階下から楽に行うことができ、また、そのようにできることで収納に関して階下の利便性を向上することができる。
【００２８】
図６に示す第５実施形態の住宅収納システムは、収納体１が、図６（イ）に示すように、収納本体部４から側方に突出する台部８が収納本体部４に対して一体的に備えられ、図６（ロ）に示すように、収納体１が下方に変位動作をすることにより、台部８が床上から階間ふところ部７に移動して収納されるようになされている。そして、台部は、内部を収納部とするベッド台からなっている。その他は第４実施形態と同様である。
【００２９】
この場合は、必要に応じて図６（イ）に示すように台部８を床面上に出現させ、それをベッド台として便利に使用することができ、台８が不要なら収納体１を下方に移動して台部８を階間ふところ部７に収納してすっきりさせることができ、室内の利便性も向上することができる。また、台部８の内部が収納部として使用できるものである場合は、階間ふところ部７を広く物の収納に有効活用することができ、台部８が上記のようにベッド台であるような場合には、階間ふところ部７に対する収納容量を大きなものにすることができる。
【００３０】
以上に、本発明の実施形態を示したが、本発明はこれに限られるものではなく、発明思想を逸脱しない範囲で各種の変更が可能である。例えば、上記の実施形態では、収納本体部４と床下収納部６と台部８、また、収納本体部と小屋裏収納部１１と階間ふところ収納部１２がそれぞれ一体化されている収納体１を用いた場合を示しているが、収納本体部４と床下収納部６と台部８、また、収納本体部と小屋裏収納部１１と階間ふところ収納部１２が一体化されずに、各部が個別に上下方向に変位動できるように構成されていてもよく、その場合は、例えば、床下収納部６を上昇させることなく台部８を上昇させることができるし、台部８を下降させることなく床下収納部６を下降させることができ、上下方向の不要の動作をなくすあるいは少なくすることができるようになる。
【００３１】
また、上記の各実施形態において、収納体１の上下方向の変位動作を利用して、階上階下間で物の受け渡しを行うことができるように構成されていてもよい。
【００３２】
更に、上記の実施形態では、二階建ての建物に適用した場合を示しているが、第１〜第３実施形態の住宅収納システムを三階建て等の多階建て建物に適用し、台部が三階ないしそれよりも上の階において床面上にあらわれるように構成してもよいし、第４及び第５実施形態の住宅収納システムを同じく三階建て等の多階建て建物に適用し、階間ふところ収納部が一階等の天井下に突出してくるように構成してもよい。
【図面の簡単な説明】
【００３３】
【図１】第１実施形態の住宅収納システムを示す建物の断面正面図である。
【図２】図（イ）及び図（ロ）はそれぞれ、同住宅収納システムの使用方法を示す断面正面図である。
【図３】図（イ）及び図（ロ）はそれぞれ、第２実施形態の住宅収納システムとその使用方法を示す断面正面図である。
【図４】図（イ）及び図（ロ）はそれぞれ、第３実施形態の住宅収納システムとその使用方法を示す断面正面図である。
【図５】図（イ）及び図（ロ）はそれぞれ、第４実施形態の住宅収納システムとその使用方法を示す断面正面図である。
【図６】図（イ）及び図（ロ）はそれぞれ、第５実施形態の住宅収納システムとその使用方法を示す断面正面図である。
【符号の説明】
【００３４】
１…収納体
２…床
３…天井
４…収納本体部
５…床下
６…床下収納部
７…階間ふところ部
８…ベンチ（台部）
８…ベッド台（台部）
８…テーブル台（台部）
１０…小屋裏
１１…小屋裏収納部
１２…階間ふところ収納部
【図１】
2006257686.tif 000003
【図２】
2006257686.tif 000004
【図３】
2006257686.tif 000005
【図４】
2006257686.tif 000006
【図５】
2006257686.tif 000007
【図６】
2006257686.tif 000008